【事件の表示】
　特願２０１６−５３８８５０「ｅＮＢ間搬送波集成における無線リンク失敗及びランダムアクセス手順のための方法及びシステム」拒絶査定不服審判事件〔平成２７年　３月　５日国際公開、ＷＯ２０１５／０３０４８３、平成２８年１０月１３日国内公表、特表２０１６−５３２３９１〕について、次のとおり審決する。
【結　論】
　本件審判の請求は、成り立たない。
【理　由】
第１　手続の経緯 
　本願は，２０１４年（平成２６年）８月２７日（パリ条約による優先権主張外国庁受理　２０１３年８月２７日　インド，２０１４年８月２１日　インド）を国際出願日とする出願であって，その手続の経緯は以下のとおりである。 
　平成３０年　７月１９日付け：拒絶理由通知書
　平成３０年１０月３０日　　：意見書，手続補正書の提出
　平成３０年１１月　８日付け：拒絶理由（最後の拒絶理由）通知書
　平成３１年　２月１９日　　：意見書，手続補正書の提出
　平成３１年　３月　５日付け：平成３１年２月１９日にされた手続補正に　　　　　　　　　　　　　　　ついての補正の却下の決定，拒絶査定
　令和　１年　７月１１日　　：拒絶査定不服審判の請求，手続補正書の提　　　　　　　　　　　　　　　出
第２　令和１年７月１１日にされた手続補正についての補正の却下の決定 
［補正の却下の決定の結論］ 
　令和１年７月１１日にされた手続補正（以下，「本件補正」という。）を却下する。 
  
［理由］ 
１　本件補正の概要 
　本件補正は，平成３０年１０月３０日にされた手続補正により補正された特許請求の範囲の請求項１に記載された 
「　無線ネットワークにおけるマスタｅＮＢ（ＭｅＮＢ:master evolved NodeB)と二次ｅＮＢ(ＳｅＮＢ:secondary eＮＢ)と二重接続されるユーザ端末（ＵＥ）によりランダムアクセス手順を実行する方法であって、
　前記マスタｅＮＢのマスタセルグループ（ＭＣＧ:master cell group)のうちの一次セル（Ｐセル）にランダムアクセス（ＲＡ：random access)手順を実行するステップと、
　前記二次ｅＮＢ（ＳｅＮＢ）の二次セルグループ(ＳＣＧ:secondary cell group)のうちの少なくとも一つの二次セル（Ｓセル）にランダムアクセス手順を実行するステップと、を含み、
　前記少なくとも一つの二次セル（ＳＣｅｌｌ）にランダムアクセス手順を実行するステップは、
　前記二次セルグループ（ＳＣＧ）が追加または変更される場合、物理的ランダムアクセスチャネル（ＰＲＡＣＨ：physical random access channel)を通じて、前記少なくとも一つの二次セルのうちの一つにランダムアクセス（ＲＡ）プリアンブルを伝送するステップと、
　前記少なくとも一つの二次セルのうち一つからアップリンクグラント及び一時的Ｃ−ＲＮＴＩ(cell-radio network temporary identifier)を含むランダムアクセス応答（ＲＡＲ：random access response）メッセージを受信するステップと、
　前記アップリンクグラントに基づいて、前記少なくとも一つの二次セルのうちの一つに要請メッセージを伝送するステップと、
　前記一時的Ｃ−ＲＮＴＩを使用して、前記少なくとも一つの二次セルのうちの一つから競合解決メッセージを受信するステップと、を含み、
　前記二次ｅＮＢ（ＳｅＮＢ）の二次セルグループのうちの少なくとも一つの二次セル（ＳＣｅｌｌ）へのランダムアクセス手順は、前記二次セルグループ（ＳＣＧ）の追加または変更に対する無線リソース制御（ＲＲＣ）接続メッセージの受信時、ダウンリンクデータまたはアップリンクデータが到着する場合、または、前記ユーザ端末が二次セルグループ（ＳＣＧ）の追加または変更のためのメッセージを受信する場合、前記ユーザ端末により開始される
　ことを特徴とする、方法。」との発明（以下，「本願発明」という。）を， 
「　無線ネットワークにおけるマスタｅＮＢ（ＭｅＮＢ:master evolved NodeB)と二次ｅＮＢ(ＳｅＮＢ:secondary eＮＢ)と二重接続されるユーザ端末（ＵＥ）によりランダムアクセス手順を実行する方法であって、
　前記マスタｅＮＢのマスタセルグループ（ＭＣＧ:master cell group)のうちの一次セル（Ｐセル）にランダムアクセス（ＲＡ：random access)手順を実行するステップと、
　前記二次ｅＮＢ（ＳｅＮＢ）の二次セルグループ(ＳＣＧ:secondary cell group)のうちの少なくとも一つの二次セル（Ｓセル）にランダムアクセス手順を実行するステップと、を含み、
　前記少なくとも一つの二次セル（ＳＣｅｌｌ）にランダムアクセス手順を実行するステップは、
　前記二次セルグループ（ＳＣＧ）が追加または変更される場合、物理的ランダムアクセスチャネル（ＰＲＡＣＨ：physical random access channel)を通じて、前記少なくとも一つの二次セルのうちの一つにランダムアクセス（ＲＡ）プリアンブルを伝送するステップと、
　前記少なくとも一つの二次セルのうち一つからアップリンクグラント及び一時的Ｃ−ＲＮＴＩ(cell-radio network temporary identifier)を含むランダムアクセス応答（ＲＡＲ：random access response）メッセージを受信するステップと、
　前記アップリンクグラントに基づいて、前記少なくとも一つの二次セルのうちの一つに要請メッセージを伝送するステップと、
　前記一時的Ｃ−ＲＮＴＩを使用して、前記少なくとも一つの二次セルのうちの一つから競合解決メッセージを受信するステップと、を含み、
　前記二次ｅＮＢ（ＳｅＮＢ）の二次セルグループのうちの少なくとも一つの二次セル（ＳＣｅｌｌ）へのランダムアクセス手順は
、前
、
　
前記少なくとも一つの二次セル（ＳＣｅｌｌ）のためのＣ−ＲＮＴＩは、前記一次セル（ＰＣｅｌｌ）のためのＣ−ＲＮＴＩと相異する
　ことを特徴とする、方法。」（下線は，補正箇所を示す。） 
との発明（以下，「本件補正発明」という。）に補正することを含むものである。
２　補正の適否
（１）目的要件
　請求項１についての上記補正は「前記少なくとも一つの二次セル（ＳＣｅｌｌ）のためのＣ−ＲＮＴＩは、前記一次セル（ＰＣｅｌｌ）のためのＣ−ＲＮＴＩと相異する」という事項を追加している。
　当該事項は補正前の請求項１に係る発明の発明特定事項を更に限定するものではなく、新たな構成を追加するものであるから、上記補正の目的は特許法第１７条の２第５項第２号の「特許請求の範囲の減縮（第３６条第５項の規定により請求項に記載した発明を特定するために必要な事項を限定するものであって、・・・ものに限る。）」に該当しない。また上記補正の目的は特許法第１７条の２第５項に規定される他のいずれの事項にも該当しない。
　したがって、本件補正は、特許法第１７条の２第５項の規定に違反するものである。
（２）独立特許要件
　上記（１）のとおりであるが，更に進んで，仮に上記補正の目的を特許請求の範囲の限定的減縮とした場合に，独立特許要件を満たしていたか否かについても検討する。
ア　本件補正発明
　本件補正発明は，上記１の「本件補正発明」のとおりのものと認める。
イ　引用発明及び周知技術
［引用発明］
　原査定の拒絶の理由に引用された国際公開第２０１２／１３７９８４号（以下，「引用例１」という。）には，図面とともに以下の事項が記載されている。
（ア）「At least some aspects of the systems and methods disclosed herein may be described in relation to the 3GPP LTE and LTE-Advanced (LTE-A) standards (e.g., Release-8 and Release-10). However, the scope of the present disclosure should not be limited in this regard. At least some aspects of the systems and methods disclosed herein may be utilized in other types of wireless communication systems.」（８ページ１９〜２５行）
（当審仮訳：
　本明細書に開示されるシステムおよび方法の少なくともいくつかの様態は、３ＧＰＰ  ＬＴＥおよびＬＴＥ−Ａｄｖａｎｃｅｄ（ＬＴＥ−Ａ）規格（例えば、リリース８およびリリース１０）に関して記載されうる。しかしながら、この点について本開示の範囲は限定されない。本明細書に開示されるシステムおよび方法の少なくともいくつかの様態は、他のタイプのワイヤレス通信システムに利用できる。）
（イ）「 One or more of the following aspects may be used in accordance with the systems and methods disclosed herein. 
In addition to a group of one or more serving cells (including a primary cell (PCell)), one or more groups that include at least one secondary cell (SCell) are introduced.
　　 
Each group may have one specific cell that is used as an uplink timing reference. In a group including the PCell, this specific cell may be the PCell. In a group that does not include the PCell, this specific cell may be a specific SCell referred to as a primary SCell (PSCell) or a secondary PCell (SPCell).
　　 PCell features may include the following. The PCell may be used as an anchor cell of Security and Mobility. The UE may be required to perform Radio Link Monitoring in the PCell. The PCell may be used as a path loss reference to other cell(s). The PCell may be used as an uplink timing reference to other cell(s). The PCell uplink timing may refer to the PCell downlink timing. The PCell may always be activated and never deactivated. The PCell may not be cross-carrier scheduled. The UE may acquire System Information and/or Paging transmitted from an eNB in the PCell. 
The UE may monitor a Random Access Response and/or physical downlink control channel (PDCCH) ordered random access channel (RACH) and/or Contention Resolution for random access in the PCell.
The UE may use a physical random access channel (PRACH) resource in the PCell.
（中略）
 　　PSCell features may include one or more of the following, for example. The PSCell may not be used as an anchor cell of Security and Mobility. The UE may be required to perform Radio Link Monitoring in the PSCell. The PSCell may be used as a path loss reference to other cell(s) within its own group. The PSCell may be used as an uplink timing reference to other cell(s) within its own group. The PSCell uplink timing may refer to the PSCell downlink timing. The PCell may always be activated and may never be deactivated. The PSCell may not be cross-carrier scheduled. The UE may not acquire System Information and/or Paging transmitted from an eNB in the PSCell. 
The UE may monitor a Random Access Response and/or PDCCH ordered RACH and/or Contention Resolution for random access in the PSCell. 
The UE may use a PRACH resource in the PSCell
（当審仮訳：
　本明細書に開示されるシステムおよび方法に従って、次の様態の１つ以上を使用できる。
（プライマリセル（ＰＣｅｌｌ）を含む）１つ以上のサービングセルのグループに加えて、少なくとも１つのセカンダリセル（ＳＣｅｌｌ）を含む１つ以上のグループが導入される。
　
各グループは、上りリンク・タイミング基準として使用される、１つの特定のセルを有することができる。ＰＣｅｌｌを含むグループでは、この特定のセルは、ＰＣｅｌｌとすることができる。ＰＣｅｌｌを含まないグループでは、この特定のセルは、プライマリＳＣｅｌｌ（ＰＳＣｅｌｌ）またはセカンダリＰＣｅｌｌ（ＳＰＣｅｌｌ）と呼ばれる、特定のＳＣｅｌｌとすることができる。
　ＰＣｅｌｌの特徴は、以下を含むことができる。ＰＣｅｌｌは、セキュリティおよびモビリティのアンカーセルとして使用できる。ＵＥは、無線リンク・モニタリングをＰＣｅｌｌで行うことが必要とされうる。ＰＣｅｌｌは、他のセル（単数または複数）に対するパス・ロス基準として使用できる。ＰＣｅｌｌは、他のセル（単数または複数）に対する上りリンク・タイミング基準として使用できる。ＰＣｅｌｌ上りリンク・タイミングは、ＰＣｅｌｌ下りリンク・タイミングを参照できる。ＰＣｅｌｌは、常にアクティブ化され、決して非アクティブ化されることができない。ＰＣｅｌｌをクロスキャリア・スケジューリングすることはできない。ＵＥは、ｅＮＢから送信されたシステム情報および／またはページング情報をＰＣｅｌｌで取得できる。
ＵＥは、ランダムアクセスのためのランダムアクセスレスポンスおよび／または物理下りリンク制御チャネル（ＰＤＣＣＨ）指令ランダムアクセスチャネル（ＲＡＣＨ）および／または競合解決をＰＣｅｌｌでモニターできる。
ＵＥは、物理ランダムアクセスチャネル（ＰＲＡＣＨ：ｐｈｙｓｉｃａｌ  ｒａｎｄｏｍ  ａｃｃｅｓｓ  ｃｈａｎｎｅｌ）リソースをＰＣｅｌｌで使用できる。
（中略）
　ＰＳＣｅｌｌの特徴は、例えば、以下の１つ以上を含むことができる。ＰＳＣｅｌｌは、セキュリティおよびモビリティのアンカーセルとして使用できない。ＵＥは、無線リンク・モニタリングをＰＳＣｅｌｌで行うことが必要とされうる。ＰＳＣｅｌｌは、それ自体のグループ内の他のセル（単数または複数）に対するパス・ロス基準として使用できる。ＰＳＣｅｌｌは、それ自体のグループ内の他のセル（単数または複数）に対する上りリンク・タイミング基準として使用できる。ＰＳＣｅｌｌ上りリンク・タイミングは、ＰＳＣｅｌｌ下りリンク・タイミングを参照できる。ＰＳＣｅｌｌは、常にアクティブ化され、決して非アクティブ化できない。ＰＳＣｅｌｌをクロスキャリア・スケジューリングすることはできない。ＵＥは、ｅＮＢから送信されたシステム情報および／またはページング情報をＰＳＣｅｌｌで取得できない。
ＵＥは、ランダムアクセスのためのランダムアクセスレスポンスおよび／またはＰＤＣＣＨ指令ＲＡＣＨおよび／または競合解決をＰＳＣｅｌｌでモニターできる。
ＵＥは、ＰＲＡＣＨリソースをＰＳＣｅｌｌで使用できる。
（ウ）「
Figure 1 is a block diagram illustrating one configuration of a user equipment (UE) 102 and one or more evolved Node Bs (eNBs) 160 in which systems and methods for multi-group communications may be implemented. 
　　 
The UE 102 and the eNB 160 may use one or more cells (e.g., channels, carrier components, etc.) 119, 121 to communicate with each other.
　　 In accordance with the systems and methods disclosed herein, multiple kinds of cells 119, 121 and multiple groups of cells 119, 121 may be used for communication. As used  herein, the term group may denote a group of one or more entities.
 A primary cell (PCell) may be a primary cell in accordance with 3GPP specifications. A secondary cell (SCell) may be a secondary cell in accordance with 3GPP specifications. A group of one or more cells that includes a PCell may be a PCell group . Cells in a PCell group may be referred to as PCell group cells 1 19. Thus, a PCell group includes at least a PCell. A PCell group may additionally include one or more SCells.
　　 
One or more other groups of cells that do not include a PCell may each be a non-PCell group. A non-PCell group may include one or more SCells. One or more cells in a non- PCell group may be referred to as non-PCell group cell(s) 121
　　 
In one configuration, cells 119, 121 may be grouped according to site . More specifically, all cells 119, 121 transmitted from a particular site (e.g., eNB 160, repeater, etc.) may be grouped into a group. For example, a PCell group may be transmitted from a first site (e.g., an eNB 160 or repeater) while a non-PCell group may be transmitted from a second site (e.g., a separate remote radio head (RRH) or a separate repeater, etc.). For instance, a PCell group may be transmitted from a first eNB 160 at a first location, while a non-PCell group may be transmitted from a second remote radio head at a second location.
In this case, the PCell group and the non-PCell group may be transmitted from the same site or from separate sites.
（当審仮訳：
　
図１は、マルチグループ通信のためのシステムおよび方法を実装できるユーザ機器（ＵＥ）１０２および１つ以上のｅｖｏｌｖｅｄ  Ｎｏｄｅ  Ｂ（ｅＮＢ）１６０の一構成を示すブロックダイアグラムである。
　
ＵＥ１０２およびｅＮＢ１６０は、相互に通信するために１つ以上のセル（例えば、チャネル、キャリアコンポーネントなど）１１９、１２１を使用できる。
　本明細書に開示されるシステムおよび方法に従って、通信のためにセル１１９、１２１の複数の種類、およびセル１１９、１２１の複数のグループを使用できる。本明細書では、用語「グループ」は、１つ以上のエンティティのグループを示すことができる。
プライマリセル（ＰＣｅｌｌ）は、３ＧＰＰ仕様書に従ったプライマリセルとすることができる。セカンダリセル（ＳＣｅｌｌ）は、３ＧＰＰ仕様書に従ったセカンダリセルとすることができる。ＰＣｅｌｌを含む１つ以上のセルのグループをＰＣｅｌｌグループとすることができる。ＰＣｅｌｌグループのセルは、ＰＣｅｌｌグループ・セル１１９と呼ぶことができる。かくして、ＰＣｅｌｌグループは、少なくともＰＣｅｌｌを含む。ＰＣｅｌｌグループは、追加的に１つ以上のＳＣｅｌｌを含んでもよい。
　
ＰＣｅｌｌを含まない、セルの１つ以上の他のグループは、それぞれ「非ＰＣｅｌｌ」グループとすることができる。非ＰＣｅｌｌグループは、１つ以上のＳＣｅｌｌを含むことができる。非ＰＣｅｌｌグループにおける１つ以上のセルは、非ＰＣｅｌｌグループ・セル（単数または複数）１２１と呼ぶことができる
　
一構成において、セル１１９、１２１は、サイトに従ってグループに分けることができる。より具体的には、特定のサイト（例えば、ｅＮＢ１６０、リピータなど）から送信されるすべてのセル１１９、１２１を１つのグループにすることができる。例えば、ＰＣｅｌｌグループは、第１のサイト（例えば、ｅＮＢ１６０またはリピータ）から送信できて、一方で非ＰＣｅｌｌグループは、第２サイト（例えば、別個のリモート・レディオ・ヘッド（ＲＲＨ：ｒｅｍｏｔｅ  ｒａｄｉｏ  ｈｅａｄ）または別個のリピータなど）から送信できる。例として、ＰＣｅｌｌグループは、第１の位置における第１のｅＮＢ１６０から送信できて、一方で非ＰＣｅｌｌグループは、第２の位置における第２のリモート・レディオ・ヘッドから送信できる。
この場合に、ＰＣｅｌｌグループおよび非ＰＣｅｌｌグループは、同じサイトから、あるいは別個のサイトから送信されうる。
（エ）「
In one configuration, the UE 102 may adjust its uplink transmission timing for a physical uplink control channel (PUCCH), physical uplink shared channel (PUSCH) and/or sounding reference signal (SRS) of a primary cell (PCell) based on a timing advance command. The timing advance command in a random access response may be transmitted from an eNB 160 to the UE 102 after the UE 102 has sent a random access preamble.
（中略）
 　　Typically, the uplink transmission timing for a physical uplink shared channel (PUSCH) and/or sounding reference signal (SRS) of a secondary cell (SCell) may be the same as that of a primary cell (PCell). 
However, aggregation between cells may be introduced with different transmission and/or reception sites (e.g., different eNBs 160, RRHs or repeaters, etc.). In this case, the UE 102 may need to have different  uplink transmission timing for each cell or groups of one or more cells. The multi-group timing module 130 may control or adjust the transmission timing for one or more groups (e.g., a PCell group and/ or one or more non-PCell groups) .
（中略）
　　 
A timing advance command in a random access response may be transmitted from an eNB 160 and received by the UE 102 in a PCell or in a PSCell after the UE 102 has sent a random access preamble in the PCell or the PSCell.
（中略） 
It should also be noted that PDCCH detection to order a random access in a PSCell from an eNB to a UE may be in the PSCell and Contention resolution for a random access in a PSCell may be in the PSCell.
（中略）
　　 The set of PDCCH candidates to monitor may be defined in terms of search spaces. Typically, there is a common search space on the primary cell (PCell) 119 and a UE-specific search space on the PCell 119 and/or one or more SCells. In this case, the common search space may be cell-specific and only on the PCell 119. 
The UE-specific search space may be defined by a cell radio network temporary identifier or C-RNTI (e.g., user equipment identifier (UEID)) and may be prepared for each serving cell 119, 121.
（中略）
　　 
However, in accordance with the systems and methods disclosed herein and in order to have multiple time alignments, the UE 102 may need to perform a random access procedure in a PSCell 121.
Thus, a UE 102 configured with an SCell with a random access channel (RACH) may be required to monitor a PDCCH in a common search space in the PSCell 121 in addition to the common search space in the PCell 119.
（当審仮訳：
　
一構成において、ＵＥ１０２は、タイミングアドバンスコマンドに基づいて、プライマリセル（ＰＣｅｌｌ）の物理上りリンク制御チャネル（ＰＵＣＣＨ）、物理上りリンク共有チャネル（ＰＵＳＣＨ）および／またはサウンディング基準信号（ＳＲＳ）のためのその上りリンク送信タイミングを調整できる。ランダムアクセスレスポンス中のタイミングアドバンスコマンドは、ＵＥ１０２がランダムアクセスプリアンブルを送った後に、ｅＮＢ１６０からＵＥ１０２へ送信できる。
（中略）
　典型的には、セカンダリセル（ＳＣｅｌｌ）の物理上りリンク共有チャネル（ＰＵＳＣＨ）および／またはサウンディング基準信号（ＳＲＳ）のための上りリンク送信タイミングは、プライマリセル（ＰＣｅｌｌ）の上りリンク送信タイミングと同じにすることができる。
しかしながら、異なった送信および／または受信サイト（例えば、異なったｅＮＢ１６０、ＲＲＨまたはリピータなど）を用いて、セル間のアグリゲーションが導入されることがありうる。この場合に、ＵＥ１０２は、各セルまたは１つ以上のセルのグループのために異なった上りリンク送信タイミングを有する必要がありうる。マルチグループ・タイミング・モジュール１３０は、１つ以上のグループ（例えば、ＰＣｅｌｌグループおよび／または１つ以上の非ＰＣｅｌｌグループ）のための送信タイミングを制御または調整できる。
（中略）
　
ランダムアクセスレスポンス中のタイミングアドバンスコマンドは、ＵＥ１０２がランダムアクセスプリアンブルをＰＣｅｌｌまたはＰＳＣｅｌｌで送った後に、そのＰＣｅｌｌまたはＰＳＣｅｌｌでｅＮＢ１６０から送信され、ＵＥ１０２によって受信されることができる。
（中略）
　
ｅＮＢからＵＥへのＰＳＣｅｌｌでのランダムアクセスを指令するためのＰＤＣＣＨ検出が、ＰＳＣｅｌｌ中であってもよく、ＰＳＣｅｌｌでのランダムアクセスのための競合解決が、ＰＳＣｅｌｌ中であってもよいことにも留意すべきである。
（中略）
　検索空間の観点から、モニターすべきＰＤＣＣＨ候補のセットを定義できる。典型的には、プライマリセル（ＰＣｅｌｌ）１１９上に共通検索空間があり、ＰＣｅｌｌ１１９および／または１つ以上のＳＣｅｌｌ上にＵＥ固有の検索空間がある。この場合に、共通検索空間は、セル固有であってＰＣｅｌｌ上にだけありうる。
ＵＥ固有の検索空間は、セル無線ネットワーク一時識別子またはＣ−ＲＮＴＩ（例えば、ユーザ機器識別子（ＵＥＩＤ））によって定義できて、各サービングセル１１９、１２１のために用意できる。
（中略）
　
しかしながら、本明細書に開示されるシステムおよび方法に従い、かつ複数のタイムアラインメントを有するためには、ＵＥ１０２がランダムアクセス手順をＰＳＣｅｌｌ１２１で行う必要がありうる。かくして、ＰＣｅｌｌ１１９における共通検索空間に加えて、ＰＳＣｅｌｌ１２１における共通検索空間でＰＤＣＣＨをモニターするために、ランダムアクセスチャネル（ＲＡＣＨ）をもつＳＣｅｌｌを用いて構成されたＵＥ１０２が必要とされうる。
（オ）「
Figure 2 is a flow diagram illustrating one configuration of a method 200 for performing multi-group communications on a UE 102.
　　 The UE 102 may determine 204 whether to use multiple groups of cells119, 121 to communicate. If the UE 102 determines 204 not to communicate using multiple groups of cells 119, 121, the UE 102 may communicate 206 using a single group of cells 119. In some configurations, the UE 102 may determine 204 not to communicate using multiple groups of cells 119, 121, if the UE 102 is incapable of communicating using multiple groups of cells 119, 121 or for other considerations (e.g., low battery power, poor channel quality with a non-PCell group, etc.). 
　　 
If the UE 102 determines 204 to communicate using multiple groups of cells 119, 121, the UE 102 may determine 208 a PSCell 121 for each non-PCell group.
　　 
For example, the UE 102 may determine 208 one or more PSCells based on UE-specific (explicit or implicit) radio resource control (RRC) signaling. 
（中略） 
　　 
Alternatively, UE 102 may determine 208 one or more PSCells based on UE-specific explicit RRC signaling. For example , the UE 102 may receive a message from one or more eNBs 160 that explicitly identifies one or more PSCells (for one or more non- PCell groups) .
　　 
The UE 102 may determine 210 whether to adjust transmission timing. For example, if the UE 102 has received one or more timing advance commands from one or more eNBs 160, the UE 102 may determine 210 to adjust uplink transmission timing.
　　 
If the UE 102 determines 210 to adjust uplink transmission timing, then the UE 102 may use 212 a timing advance command to adjust uplink timing for a group of cells 119, 121.
For example, the UE 102 may adjust the transmission timing for one or more non-PCell groups.
 （中略）
　　 
A timing advance command in a random access response may be used 212 that is transmitted from an eNB 160 and received by the UE 102 in a PCell or in a PSCell after the UE 102 has sent a random access preamble in the PCell or the  PSCell.
（中略）
　　 Whether or not the UE 102 determines 214 that a path loss parameter was received that designates a reference cell 121 in a non-PCell group, the UE 102 may communicate 218 with one or more eNBs 160 using the multiple groups. 
For example, the UE 102 may transmit information to and/or receive information from one or more eNBs 160 using one or more PCell group cells 119 and one or more non-PCell group cells 121.
（当審仮訳：
　
図２は、ＵＥ１０２上でマルチグループ通信を行うための方法２００の一構成を示すフローダイアグラムである。
　ＵＥ１０２は、通信するためにセル１１９、１２１の複数のグループを使用すべきかどうかを判定２０４できる。ＵＥ１０２がセル１１９、１２１の複数のグループを使用して通信しないと判定２０４した場合、ＵＥ１０２は、セル１１９の単一のグループを使用して通信２０６できる。いくつかの構成では、ＵＥ１０２がセル１１９、１２１の複数のグループを使用して通信することが可能でない場合、あるいは他の理由（例えば、低電池電力、非ＰＣｅｌｌグループでの低チャネル品質など）から、ＵＥ１０２は、セル１１９、１２１の複数のグループを使用して通信しないと判定２０４してもよい。
　
ＵＥ１０２が、セル１１９、１２１の複数のグループを使用して通信すると判定２０４した場合、ＵＥ１０２は、各非ＰＣｅｌｌグループのためのＰＳＣｅｌｌを決定２０８できる。
　
例えば、ＵＥ１０２は、ＵＥ固有の（明示的または暗黙的な）無線リソース管理（ＲＲＣ）シグナリングに基づいて１つ以上のＰＳＣｅｌｌを決定２０８できる。
（中略）
　
代わりに、ＵＥ１０２は、ＵＥ固有の明示的なＲＲＣシグナリングに基づいて、１つ以上のＰＳＣｅｌｌを決定２０８できる。例えば、ＵＥ１０２は、（１つ以上の非ＰＣｅｌｌグループのための）１つ以上のＰＳＣｅｌｌを明示的に識別するメッセージを１つ以上のｅＮＢ１６０から受信できる。
　
ＵＥ１０２は、送信タイミングを調整すべきかどうかを判定２１０できる。例えば、ＵＥ１０２が１つ以上のタイミングアドバンスコマンドを１つ以上のｅＮＢ１６０から受信した場合、ＵＥ１０２は、上りリンク送信タイミングを調整すると判定２１０できる。
　
ＵＥ１０２が上りリンク送信タイミングを調整すると判定２１０した場合、次にＵＥ１０２は、セル１１９、１２１のグループのための上りリンク・タイミングを調整するために、タイミングアドバンスコマンドを使用２１２できる。
（中略）
　
ＵＥ１０２がランダムアクセスプリアンブルをＰＣｅｌｌまたはＰＳＣｅｌｌで送った後に、そのＰＣｅｌｌまたはＰＳＣｅｌｌでｅＮＢ１６０から送信されてＵＥ１０２によって受信される、ランダムアクセスレスポンス中のタイミングアドバンスコマンドを使用２１２できる。
（中略）
　ＵＥ１０２が非ＰＣｅｌｌグループにおける基準セル１２１を指定するパス・ロス・パラメータが受信されたと判定２１４するかどうかにかかわらず、ＵＥ１０２は、複数のグループを使用して１つ以上のｅＮＢ１６０と通信２１８できる。
例えば、ＵＥ１０２は、１つ以上のＰＣｅｌｌグループ・セル１１９および１つ以上の非ＰＣｅｌｌグループ・セル１２１を使用して、１つ以上のｅＮＢ１６０へ情報を送信できる、および／またはそれから情報を受信できる。
（カ）「Figure 10 is a block diagram illustrating one example of a deployment scenario. In this example, two eNBs 1060a-b  may both communicate with a UE 1002. eNB A 1060a may include one or more antennas 1080a-m for communicating with the UE 1002. eNB B 1060b may include one or more antennas 1080n-z for communicating with the UE 1002. The UE 1002 may include antennas 1022a-n for communicating with eNB A 1060a and eNB B 1060b. 
In this example, the UE 1002 may communicate with two non-collocated sites (e.g., eNBs 1060a-b) on multiple carriers. As can be observed, each communication path 1087a-b may experience different propagation environments. This may lead to differences in uplink transmission timing for communication frames on path A 1087a and path B 1087b. In one configuration, one group of cells or channels may be established on path A 1087a, while another group of cells or channels may be established on path B 1087b. The scenario illustrated in Figure 10 could similarly occur with remote antennas or remote radio heads.
（当審仮訳：
　図１０は、配備シナリオの一例を示すブロックダイアグラムである。この例では、２つのｅＮＢ１０６０ａ〜ｂがいずれもＵＥ１００２と通信できる。ｅＮＢ  Ａ１０６０ａは、ＵＥ１００２と通信するための１つ以上のアンテナ１０８０ａ〜ｍを含むことができる。ｅＮＢ  Ｂ１０６０ｂは、ＵＥ１００２と通信するための１つ以上のアンテナ１０８０ｎ〜ｚを含むことができる。ＵＥ１００２は、ｅＮＢ  Ａ１０６０ａおよびｅＮＢ  Ｂ１０６０ｂと通信するためのアンテナ１０２２ａ〜ｎを含むことができる。
この例では、ＵＥ１００２は、２つのノンコロケーテッド・サイト（例えば、ｅＮＢ１０６０ａ〜ｂ）と複数のキャリア上で通信できる。図示されるように、各通信経路１０８７ａ〜ｂは、異なった伝搬環境にありうる。これは、経路Ａ１０８７ａおよび経路Ｂ１０８７ｂ上の通信フレームに対して上りリンク送信タイミングに差をもたらしうる。一構成において、セルまたはチャネルの１つのグループを経路Ａ１０８７ａ上に確立できる一方で、セルまたはチャネルの別のグループを経路Ｂ１０８７ｂ上に確立できる。図１０に示されるシナリオは、リモート・アンテナまたはリモート・レディオ・ヘッドで同様に生じうるであろう。
(キ）「
」
（ク）「
」
（ケ）「
」
 引用例１の上記記載及びこの分野における技術常識を考慮すると、次のことがいえる。
ａ　上記（ウ）の「ＰＣｅｌｌを含む１つ以上のセルのグループをＰＣｅｌｌグループとすることができる。・・・。ＰＣｅｌｌを含まない、セルの１つ以上の他のグループは、それぞれ「非ＰＣｅｌｌ」グループとすることができる。・・・。ＰＣｅｌｌグループは、第１のサイト（例えば、ｅＮＢ１６０またはリピータ）から送信できて、一方で非ＰＣｅｌｌグループは、第２サイト（例えば、別個のリモート・レディオ・ヘッド（ＲＲＨ：ｒｅｍｏｔｅ  ｒａｄｉｏ  ｈｅａｄ）または別個のリピータなど）から送信できる。」との記載によれば、引用例１には、ＰＣｅｌｌを含むＰＣｅｌｌグループは、一方のサイトから送信でき、ＰＣｅｌｌを含まない非ＰＣｅｌｌグループは他方のサイトから送信できることが記載されているといえる。
　そして、上記（エ）の「異なった送信および／または受信サイト（例えば、異なったｅＮＢ１６０、ＲＲＨまたはリピータなど）を用いて、セル間のアグリゲーションが導入されることがありうる」との記載、及び、上記（カ）の「この例では、ＵＥ１００２は、２つのノンコロケーテッド・サイト（例えば、ｅＮＢ１０６０ａ〜ｂ）と複数のキャリア上で通信できる。・・・。セルまたはチャネルの１つのグループを経路Ａ１０８７ａ上に確立できる一方で、セルまたはチャネルの別のグループを経路Ｂ１０８７ｂ上に確立できる。」との記載、及び、ＦＩＧ．１０によれば、引用例１には、ＵＥは、一方のサイトであるｅＮＢとの経路上にセルのグループを確立し、他方のサイトであるｅＮＢとの経路上に、セルの別のグループを確立することも記載されているといえる。
　してみると、引用例１では、ＵＥが、一方のｅＮＢとの経路上に、ＰＣｅｌｌを含むＰＣｅｌｌグループを確立する一方、他方のｅＮＢとの経路上に、ＰＣｅｌｌを含まない非ＰＣｅｌｌグループを確立し、セル間アグリゲーションを実行することが想定されているといえる。
　よって、引用例１には、「ｅＮＢ１０６０ａとの経路上に、ＰＣｅｌｌを含むＰＣｅｌｌグループを確立する一方、ｅＮＢ１０６０ｂとの経路上に、ＰＣｅｌｌを含まない非ＰＣｅｌｌグループを確立し、セル間アグリゲーションを実行するＵＥ」が記載されていると認められる。
ｂ　上記（イ）の「ＵＥは、ランダムアクセスのためのランダムアクセスレスポンスおよび／または物理下りリンク制御チャネル（ＰＤＣＣＨ）指令ランダムアクセスチャネル（ＲＡＣＨ）および／または競合解決をＰＣｅｌｌでモニターできる。・・・。ＵＥは、物理ランダムアクセスチャネル（ＰＲＡＣＨ：ｐｈｙｓｉｃａｌ  ｒａｎｄｏｍ  ａｃｃｅｓｓ  ｃｈａｎｎｅｌ）リソースをＰＣｅｌｌで使用できる。」との記載、上記（エ）の「ランダムアクセスレスポンス中のタイミングアドバンスコマンドは、ＵＥ１０２がランダムアクセスプリアンブルを送った後に、ｅＮＢ１６０からＵＥ１０２へ送信できる。」との記載によれば、ＵＥは、「物理ランダムアクセスチャネル（ＰＲＡＣＨ）リソースをＰＣｅｌｌで使用」して「ランダムアクセスプリアンブルを送」り、ｅＮＢからの「ランダムアクセスレスポンス」及び「競合解決」をＰＣｅｌｌでモニターしており、このような一連の動作は、ランダムアクセス手順といえることは明らかである。
　そして、（ウ）の「ＰＣｅｌｌを含む１つ以上のセルのグループをＰＣｅｌｌグループとすることができる。ＰＣｅｌｌグループのセルは、ＰＣｅｌｌグループ・セル１１９と呼ぶことができる。かくして、ＰＣｅｌｌグループは、少なくともＰＣｅｌｌを含む」との記載から、ＰＣｅｌｌはＰＣｅｌｌグループのセルであるといえる。
　よって、引用例１には、「ＰＣｅｌｌグループのＰＣｅｌｌでランダムアクセス手順を実行すること」が記載されていると認められる。
ｃ　上記（エ）の「しかしながら、本明細書に開示されるシステムおよび方法に従い、かつ複数のタイムアラインメントを有するためには、ＵＥ１０２がランダムアクセス手順をＰＳＣｅｌｌ１２１で行う必要がありうる。かくして、ＰＣｅｌｌ１１９における共通検索空間に加えて、ＰＳＣｅｌｌ１２１における共通検索空間でＰＤＣＣＨをモニターするために、ランダムアクセスチャネル（ＲＡＣＨ）をもつＳＣｅｌｌを用いて構成されたＵＥ１０２が必要とされうる。」との記載によれば、ＵＥは、ＰＳＣｅｌｌでランダムアクセス手順を実行する。
　そして、上記（イ）の「ＰＣｅｌｌを含まないグループでは、この特定のセルは、プライマリＳＣｅｌｌ（ＰＳＣｅｌｌ）またはセカンダリＰＣｅｌｌ（ＳＰＣｅｌｌ）と呼ばれる、特定のＳＣｅｌｌとすることができる。」、（ウ）の「ＰＣｅｌｌを含まない、セルの１つ以上の他のグループは、それぞれ「非ＰＣｅｌｌ」グループとすることができる。」との記載から、ＰＳＣｅｌｌは、非ＰＣｅｌｌグループの特定のＳＣｅｌｌであるといえる。
　よって、引用例１には、「非ＰＣｅｌｌグループの特定のＳＣｅｌｌであるＰＳＣｅｌｌでランダムアクセス手順を実行すること」が記載されていると認められる。
ｄ　上記（オ）の記載、及び、（ク）のＦＩＧ．２によれば、ＵＥ上でマルチグループ通信を行うために、ＵＥは、非ＰＣｅｌｌグループのためのＰＳＣｅｌｌを明示的に識別するメッセージをｅＮＢ１６０から受信して、非ＰＣｅｌｌグループのためのＰＳＣｅｌｌを決定する。そして、ＵＥがランダムアクセスプリアンブルをＰＳＣｅｌｌに送った後、そのＰＳＣｅｌｌで送信されＵＥによって受信されるランダムアクセスレスポンス中のタイミングアドバンスコマンドを使用して上りリンク送信タイミングを調整し、ＰＣｅｌｌグループのセル及び非ＰＣｅｌｌグループのセルを使用して情報を送受信する。
　よって、引用例１には、「ＵＥ上でＰＣｅｌｌグループ及び非ＰＣｅｌｌグループを使用したマルチグループ通信を行うために、非ＰＣｅｌｌグループのためのＰＳＣｅｌｌを明示的に識別するメッセージを受信して、ＰＳＣｅｌｌを決定し、該ＰＳＣｅｌｌにランダムアクセスプリアンブルを送信」すること及び「ＰＳＣｅｌｌからランダムアクセスレスポンスを受信」することが記載されていると認められる。
ｅ　上記（イ）の「ＵＥは、ランダムアクセスのためのランダムアクセスレスポンスおよび／またはＰＤＣＣＨ指令ＲＡＣＨおよび／または競合解決をＰＳＣｅｌｌでモニターできる。」の記載、上記（エ）の「ＰＳＣｅｌｌでのランダムアクセスのための競合解決が、ＰＳＣｅｌｌ中であってもよいことにも留意すべきである。」との記載からすれば、引用例１においても、「ＰＳＣｅｌｌから競合解決に係わる信号を受信すること」は明らかである。
ｆ　上記（ウ）に「ＰＣｅｌｌグループのセルは、ＰＣｅｌｌグループ・セル１１９と呼ぶことができる。・・・。非ＰＣｅｌｌグループにおける１つ以上のセルは、非ＰＣｅｌｌグループ・セル（単数または複数）１２１と呼ぶことができる。」と、及び、上記（エ）に「ＵＥ固有の検索空間は、セル無線ネットワーク一時識別子またはＣ−ＲＮＴＩ（例えば、ユーザ機器識別子（ＵＥＩＤ））によって定義できて、各サービングセル１１９、１２１のために用意できる。」とそれぞれ記載されており、ＵＥ固有の検索空間が、異なるセルであるＰＣｅｌｌグループ・セル及び非ＰＣｅｌｌグループ・セルそれぞれのために用意されていることからすれば、ＰＣｅｌｌグループ・セル及び非ＰＣｅｌｌグループ・セルそれぞれに用意される各ＵＥ固有の検索空間を定義する各Ｃ−ＲＮＴＩが異なることは明らかである。
　よって、引用例１には、「ＰＣｅｌｌグループのＰＣｅｌｌのＣ−ＲＮＴＩと非ＰＣｅｌｌグループのＰＳＣｅｌｌのＣ−ＲＮＴＩとは異なる」ことが記載されていると認められる。
ｇ　上記ａ〜ｆによれば、引用例１には、「ｅＮＢ１０６０ａとの経路上に、ＰＣｅｌｌを含むＰＣｅｌｌグループを確立する一方、ｅＮＢ１０６０ｂとの経路上に、ＰＣｅｌｌを含まない非ＰＣｅｌｌグループを確立し、セル間アグリゲーションを実行するＵＥによりランダムアクセス手順を実行する方法」が記載されていると認められる。
　以上を総合すると，引用例１には，以下の発明（以下，「引用発明」という。）が記載されていると認められる。
「ｅＮＢ１０６０ａとの経路上に、ＰＣｅｌｌを含むＰＣｅｌｌグループを確立する一方、ｅＮＢ１０６０ｂとの経路上に、ＰＣｅｌｌを含まない非ＰＣｅｌｌグループを確立し、セル間アグリゲーションを実行するＵＥによりランダムアクセス手順を実行する方法であって、
　ＰＣｅｌｌグループのＰＣｅｌｌにランダムアクセス手順を実行すること、
　非ＰＣｅｌｌグループの特定のＳＣｅｌｌであるＰＳＣｅｌｌでランダムアクセス手順を実行することを含み、
　非ＰＣｅｌｌグループの特定のＳＣｅｌｌであるＰＳＣｅｌｌでランダムアクセス手順を実行することは、
　ＵＥ上でＰＣｅｌｌグループ及び非ＰＣｅｌｌグループを使用したマルチグループ通信を行うために、非ＰＣｅｌｌグループのためのＰＳＣｅｌｌを明示的に識別するメッセージを受信して、ＰＳＣｅｌｌを決定し、該ＰＳＣｅｌｌにランダムアクセスプリアンブルを送信し、
　ＰＳＣｅｌｌからランダムアクセスレスポンスを受信し、
　ＰＳＣｅｌｌから競合解決に係わる信号を受信することとを含み、
　ＰＣｅｌｌグループのＰＣｅｌｌのＣ−ＲＮＴＩと非ＰＣｅｌｌグループのＰＳＣｅｌｌのＣ−ＲＮＴＩとは異なる、
　方法。」
［周知技術］
　本件の最先の優先日以前に利用可能となった3GPP TS36.300 V11.6.0(2013-06)、２０１３年７月７日アップロード、http://www.3gpp.org/ftp/Specs/archive/36_series/36.300/36300-b60.zip (以下，「引用例５」という。）には，図面とともに以下の事項が記載されている。
（コ）「The physical channels of E-UTRA are:
（中略）
 Physical random access channel (PRACH)
　- Carries the random access preamble.」（４０ページ７行〜４１ページ１５行）
（当審仮訳：
　Ｅ−ＵＴＲＡの物理チャネルは：
（中略）
　物理ランダムアクセスチャネル（ＰＲＡＣＨ）
　- ランダムアクセスプリアンブルを伝送する。）
（サ）「10.1.5.1 Contention based random access procedure
 The contention based random access procedure is outlined on Figure 10.1.5.1-1 below:
（図略）
The four steps of the contention based random access procedures are:
1) 
Random Access Preamble on RACH in uplink
(中略）
2) Random Access Response generated by MAC on DL-SCH:
（中略）
   - 
Conveys at least RA-preamble identifier, Timing Alignment in 
     
formation for the pTAG, initial UL grant and assignment of 
     
Temporary C-RNTI (which may or may not be made permanent upon
    
 Contention Resolution);
   - Intendedfor a variable number of UEs in one DL-SCH message.
3) 
First scheduled UL transmission on UL-SCH
   - UsesHARQ;
   - Size of the transport blocks depends on the UL grant conveyed
　　 in step 2 and is at least 80 bits.
   
- For initial access:
   　
- Conveys the RRC Connection Request generated by the RRC layer
and transmitted via CCCH;
（中略）
4) 
Contention Resolution on DL
   - Early contention resolution shall be used i.e. eNB does not 
     wait for NAS reply before resolving contention
   - 
Not synchronised with message 3
   - HARQ is supported;
   
- Addressed to:
     
- The Temporary C-RNTI on PDCCH for initial access and after
       
radio link failure;
     - The C-RNTI on PDCCH for UE in RRC_CONNECTED;
   
- HARQ feedback is transmitted only by the UE which detects its 
     
own UE identity, as provided in message 3, echoed in the 
     
Contention Resolution message;
   - For initial access and RRC Connection Re-establishment 
     procedure, no segmentation is used (RLC-TM).
The Temporary C-RNTI is promoted to C-RNTI for a UE which detects RA success and does not already have a C-RNTI; it is dropped by others. A UE which detects RA success and already has a C-RNTI,resumes using its C-RNTI.」（７３ページ１０行〜７４ページ２９行）
（当審仮訳：
10.1.5.1　競合ベースのランダムアクセス手順
　競合ベースのランダムアクセス手順の概要は、図10.1.5.1-1を参照されたい。
（図中略）
　競合ベースのランダムアクセス手順の4つのステップは次のとおりである。
1）
アップリンクのRACHのランダムアクセスプリアンブル
（中略）
2）
DL-SCH上のMACによって生成されたランダムアクセス応答
（中略）
　
-少なくともRAプリアンブル識別子、pTAGのタイミング調整情報、初期UL
グラント、及び一時的なC-RNTIの割り当て（競合解決時に永続化される
場合とされない場合がある）を伝える。
　-1つのDL-SCHメッセージ内の可変数のUEを対象とする。
3）
UL-SCHで最初にスケジュールされたUL送信
　-HARQを使用する。
　-トランスポートブロックのサイズは、手順2で伝達されるUL許可に依存し　、少なくとも80ビットである。
　
-初期アクセスの場合：
　　
-RRC層によって生成され、CCCHを介して送信されるRRC接続要求を伝達
する。
（中略）
4）
DLの競合解決
　-早期の競合解決が使用される。つまり、eNBは競合を解決する前にNASの　応答を待たない。
　
-メッセージ3と同期しない。
　-HARQがサポートされる。
　
-アドレスされる：
　　
-初期アクセス時及び無線リンク障害後についてはPDCCH上の一時的なC-
RNTI（にアドレスされる）
　　-RRC_CONNECTEDのUEについてはPDCCH上のC-RNTI（にアドレスされる）。
　
-HARQフィードバックは、メッセージ3で提供され、コンテンション解決メ
ッセージにエコーされるような、自身のUE IDを検出するUEによっての
み、送信される。
　-初期アクセス及びRRC接続の再確立手順では、セグメンテーションは使　　用されない（RLC-TM）。
一時的なC-RNTIは、RAの成功を検出し、まだC-RNTIを持っていないUEのC-RNTIに昇格される。他によってドロップされる。 RAの成功を検出し、すでにC-RNTIを持っているUEは、そのC-RNTIの使用を再開する。）
（シ）「
」
　
　上記（コ）、（サ）の記載、及び、上記（シ）のＦｉｇｕｒｅ１０．１．５．１−１によれば、
「競合ベースのランダムアクセス手順は、
１）ＵＥが、物理ランダムアクセスチャネル（ＰＲＡＣＨ）を介して、ランダムアクセスプリアンブルを送信することと、
２）ＲＡプリアンブル識別子、ｐＴＡＧのタイミング調整情報、初期ＵＬグラント、及び一時的なＣ−ＲＮＴＩの割り当てを伝達するランダムアクセス応答を受信することと、
３）ＲＲＣ接続要求を伝達するメッセージを送信することと、
４）ＰＤＣＣＨ上の一時的なＣ−ＲＮＴＩにアドレスされるコンテンション解決メッセージを受信すること、
の４つのステップからなる。」ことは、３ＧＰＰの規格に規定されている技術常識ともいえる周知技術である。
ウ　対比・判断
　本件補正発明と引用発明とを対比すると，
ａ　本件補正発明の「マスタｅＮＢ」及び「２次ｅＮＢ」に関し、本件明細書段落【００２１】に「ＵＥが固定されるＭｅＮＢに関連する一つ以上のサービング周波数のうち、サービング周波数が割り当てられたセルは、一次セル(Ｐセル)、すなわちＵＥがＲＲＣ接続を確立したＭｅＮＢのサービング周波数である。一方、ＭｅＮＢに関連する他の全てのサービング周波数は、ＭｅＮＢの二次セル(Ｓセル)である。ＳｅＮＢに関連する一つ以上のサービング周波数が割り当てられたセルは、ＳｅＮＢの二次セル(Ｓセル)である。ＭｅＮＢによりサービングされるサービングセルの第１の集合は、マスタセルグループ（ＭＣＧ）と呼ばれ、ＳｅＮＢによりサービングされるサービングセルの第２の集合は、二次セルグループ（ＳＣＧ）と呼ばれる。」と記載されているから、本件補正発明の「マスタｅＮＢ」は、Ｐセルを含むマスターセルグループをサービングするｅＮＢを含み、「２次ｅＮＢ」は、Ｓセルの集合である二次セルグループををサービングするｅＮＢを含むといえる。
　そして、引用発明において、ＵＥは、ｅＮＢ１０６０ａとの経路上に、ＰＣｅｌｌを含むＰＣｅｌｌグループを確立する一方、ｅＮＢ１０６０ｂとの経路上に、ＰＣｅｌｌを含まない非ＰＣｅｌｌグループを確立することからすれば、引用発明の「ｅＮＢ１０６０ａ」及び「ｅＮＢ１０６０ｂ」は、本件補正発明の「マスタｅＮＢ（ＭｅＮＢ:master evolved NodeB)」及び「二次ｅＮＢ(ＳｅＮＢ:secondary eＮＢ)」にそれぞれ相当する。
ｂ　引用発明の「ｅＮＢ１０６０ａ」及び「ｅＮＢ１０６０ｂ」が、無線ネットワークに含まれることは技術常識である。
　そして、本件補正発明の「二重接続」に関し、本件明細書段落【０００４】に「２個の地理的に分離されたｅＮＢにより制御される２個のセル間で搬送波集成が構想される時、ＵＥは、それぞれのセルに対してアップリンク同期化を実行する必要がある。このようなシナリオで、二重接続は、ＵＥが２個の地理的に分離されたｅＮＢにより制御される２個のセルとの物理的リンクを維持するように構想される。」と記載されているから、本件補正発明の「二重接続」は、「ＵＥが２個の地理的に分離されたｅＮＢにより制御される２個のセルとの物理的リンクを維持する」ことを含むといえる。
　してみれば、引用発明の「ｅＮＢ１０６０ａとの経路上に、ＰＣｅｌｌを含むＰＣｅｌｌグループを確立する一方、ｅＮＢ１０６０ｂとの経路上に、ＰＣｅｌｌを含まない非ＰＣｅｌｌグループを確立し、セル間アグリゲーションを実行するＵＥによりランダムアクセス手順を実行する方法」は、本件補正発明の「無線ネットワークにおけるマスタｅＮＢ（ＭｅＮＢ:master evolved NodeB)と二次ｅＮＢ(ＳｅＮＢ:secondary eＮＢ)と二重接続されるユーザ端末（ＵＥ）によりランダムアクセス手順を実行する方法」に相当する。
ｃ　引用発明において、ＵＥとｅＮＢ１０６０ａとの経路上に、ＰＣｅｌｌを含むＰＣｅｌｌグループが確立されることからすれば、引用発明の「ＰＣｅｌｌグループ」は、本件補正発明の「前記マスタｅＮＢのマスタセルグループ（ＭＣＧ:master cell group)」に相当する。
　よって、引用発明の「ＰＣｅｌｌグループのＰＣｅｌｌにランダムアクセス手順を実行すること」は、本件補正発明の「前記マスタｅＮＢのマスタセルグループ（ＭＣＧ:master cell group)のうちの一次セル（Ｐセル）にランダムアクセス（ＲＡ：random access)手順を実行するステップ」に相当する。
ｄ　引用発明において、ＵＥとｅＮＢ１０６０ｂとの経路上に、ＰＣｅｌｌを含まない非ＰＣｅｌｌグループが確立されるから、引用発明の「非ＰＣｅｌｌグループ」は、本件補正発明の「前記二次ｅＮＢ（ＳｅＮＢ）の二次セルグループ(ＳＣＧ:secondary cell group)」に相当する。
　そして、引用発明の「ＰＳＣｅｌｌ」は、「特定のＳＣｅｌｌ」であることから、本件補正発明の「二次セル（Ｓセル）」に相当する。
　してみると、引用発明の「非ＰＣｅｌｌグループの特定のＳＣｅｌｌであるＰＳＣｅｌｌにランダムアクセス手順を実行すること」は、本件補正発明の「前記二次ｅＮＢ（ＳｅＮＢ）の二次セルグループ(ＳＣＧ:secondary cell group)のうちの少なくとも一つの二次セル（Ｓセル）にランダムアクセス手順を実行するステップ」に相当する。
ｅ　引用発明の「ＵＥ上でＰＣｅｌｌグループ及び非ＰＣｅｌｌグループを使用したマルチグループ通信を行うために、非ＰＣｅｌｌグループのためのＰＳＣｅｌｌを明示的に識別するメッセージを受信して、ＰＳＣｅｌｌを決定し」から、引用発明では、ＰＣｅｌｌグループ及び非ＰＣｅｌｌグループを使用したマルチグループ通信を行うために、非ＰＣｅｌｌグループのためのＰＳＣｅｌｌを決定するのであるから、「ＰＳＣｅｌｌを決定」することにより、「非ＰＣｅｌｌグループ」が追加されることは自明である。
　してみると、本件補正発明の「前記二次セルグループ（ＳＣＧ）が追加または変更される場合、物理的ランダムアクセスチャネル（ＰＲＡＣＨ：physical random access channel)を通じて、前記少なくとも一つの二次セルのうちの一つにランダムアクセス（ＲＡ）プリアンブルを伝送するステップ」と、引用発明の「ＵＥ上でＰＣｅｌｌグループ及び非ＰＣｅｌｌグループを使用したマルチグループ通信を行うために、非ＰＣｅｌｌグループのためのＰＳＣｅｌｌを明示的に識別するメッセージを受信して、ＰＳＣｅｌｌを決定し、該ＰＳＣｅｌｌにランダムアクセスプリアンブルを送信し」とは、「前記二次セルグループ（ＳＣＧ）が追加される場合、前記少なくとも一つの二次セルのうちの一つにランダムアクセス（ＲＡ）プリアンブルを伝送するステップ」という点で共通する。
ｆ　引用発明の「ランダムアクセスレスポンス」は、本件補正発明の「ランダムアクセス応答（ＲＡＲ：random access response）メッセージ」に相当する。
　してみると、本件補正発明の「前記少なくとも一つの二次セルのうち一つからアップリンクグラント及び一時的Ｃ−ＲＮＴＩ(cell-radio network temporary identifier)を含むランダムアクセス応答（ＲＡＲ：random access response）メッセージを受信するステップ」と、引用発明の「ＰＳＣｅｌｌからランダムアクセスレスポンスを受信し」することとは、「前記少なくとも一つの二次セルのうち一つからランダムアクセス応答（ＲＡＲ：random access response）メッセージを受信するステップ」という点で共通する。
ｇ　引用発明の「競合解決に係わる信号」を、「競合解決メッセージ」と称することは任意である。
　してみると、本件補正発明の「前記一時的Ｃ−ＲＮＴＩを使用して、前記少なくとも一つの二次セルのうちの一つから競合解決メッセージを受信するステップ」と、引用発明の「ＰＳＣｅｌｌから競合解決に係わる信号を受信すること」とは、「前記少なくとも一つの二次セルのうちの一つから競合解決メッセージを受信するステップ」という点で共通する。
ｈ　引用発明において、「非ＰＣｅｌｌグループの特定のＳＣｅｌｌであるＰＳＣｅｌｌでランダムアクセス手順を実行すること」は、「非ＰＣｅｌｌグループのためのＰＳＣｅｌｌを明示的に識別するメッセージを受信して、ＰＳＣｅｌｌを決定し、該ＰＳＣｅｌｌにランダムアクセスプリアンブルを送信し、ＰＳＣｅｌｌからランダムアクセスレスポンスを受信し、ＰＳＣｅｌｌから競合解決に係わる信号を受信」するのであるから、引用発明も、「非ＰＣｅｌｌグループの特定のＳＣｅｌｌであるＰＳＣｅｌｌでランダムアクセス手順」は、「非ＰＣｅｌｌグループのためのＰＳＣｅｌｌを明示的に識別するメッセージを受信」する場合、ＵＥにより開始されるといえる。
　そして、引用発明において、「ＰＣｅｌｌグループ及び非ＰＣｅｌｌグループを使用したマルチグループ通信を行うために、非ＰＣｅｌｌグループのためのＰＳＣｅｌｌを明示的に識別するメッセージを受信して、ＰＳＣｅｌｌを決定」するのであるから、「非ＰＣｅｌｌグループのためのＰＳＣｅｌｌを明示的に識別するメッセージ」が、非ＰＣｅｌｌグループを追加するために受信されるメッセージであることは自明である。
　してみれば、引用発明の「非ＰＣｅｌｌグループの特定のＳＣｅｌｌであるＰＳＣｅｌｌでランダムアクセス手順を実行することは、ＵＥ上でＰＣｅｌｌグループ及び非ＰＣｅｌｌグループを使用したマルチグループ通信を行うために、非ＰＣｅｌｌグループのためのＰＳＣｅｌｌを明示的に識別するメッセージを受信して、ＰＳＣｅｌｌを決定し、該ＰＳＣｅｌｌにランダムアクセスプリアンブルを送信し、ＰＳＣｅｌｌからランダムアクセスレスポンスを受信し、ＰＳＣｅｌｌから競合解決に係わる信号を受信することとを含」むことは、本件補正発明の「前記二次ｅＮＢ（ＳｅＮＢ）の二次セルグループのうちの少なくとも一つの二次セル（ＳＣｅｌｌ）へのランダムアクセス手順は、前記ユーザ端末が二次セルグループ（ＳＣＧ）の追加のためのメッセージを受信する場合、前記ユーザ端末により開始され」ることに相当する。
ｉ　ｄで述べたように、引用発明の「ＰＳＣｅｌｌ」は、本件補正発明の「二次セル（Ｓセル）」に相当する。
　よって、引用発明の「ＰＣｅｌｌグループのＰＣｅｌｌのＣ−ＲＮＴＩと非ＰＣｅｌｌグループのＰＳＣｅｌｌのＣ−ＲＮＴＩとは異なる」は、本件補正発明の「前記少なくとも一つの二次セル（ＳＣｅｌｌ）のためのＣ−ＲＮＴＩは、前記一次セル（ＰＣｅｌｌ）のためのＣ−ＲＮＴＩと相異する」に相当する。
　したがって、本件補正発明と引用発明とは，以下の点で一致し，又，相違する。
（一致点）
「　無線ネットワークにおけるマスタｅＮＢ（ＭｅＮＢ:master evolved NodeB)と二次ｅＮＢ(ＳｅＮＢ:secondary eＮＢ)と二重接続されるユーザ端末（ＵＥ）によりランダムアクセス手順を実行する方法であって、
　前記マスタｅＮＢのマスタセルグループ（ＭＣＧ:master cell group)のうちの一次セル（Ｐセル）にランダムアクセス（ＲＡ：random access)手順を実行するステップと、
　前記二次ｅＮＢ（ＳｅＮＢ）の二次セルグループ(ＳＣＧ:secondary cell group)のうちの少なくとも一つの二次セル（Ｓセル）にランダムアクセス手順を実行するステップと、を含み、
　前記少なくとも一つの二次セル（ＳＣｅｌｌ）にランダムアクセス手順を実行するステップは、
　前記二次セルグループ（ＳＣＧ）が追加される場合、前記少なくとも一つの二次セルのうちの一つにランダムアクセス（ＲＡ）プリアンブルを伝送するステップと、
　前記少なくとも一つの二次セルのうち一つからランダムアクセス応答（ＲＡＲ：random access response）メッセージを受信するステップと、
　前記少なくとも一つの二次セルのうちの一つから競合解決メッセージを受信するステップと、を含み、
　前記二次ｅＮＢ（ＳｅＮＢ）の二次セルグループのうちの少なくとも一つの二次セル（ＳＣｅｌｌ）へのランダムアクセス手順は、前記ユーザ端末が二次セルグループ（ＳＣＧ）の追加のためのメッセージを受信する場合、前記ユーザ端末により開始され、　
　前記少なくとも一つの二次セル（ＳＣｅｌｌ）のためのＣ−ＲＮＴＩは、前記一次セル（ＰＣｅｌｌ）のためのＣ−ＲＮＴＩと相異する
、方法。」
(相違点１）
　「ランダムアクセス（ＲＡ）プリアンブルを伝送するステップ」に関し、本件補正発明は、「物理的ランダムアクセスチャネル（ＰＲＡＣＨ：physical random access channel)を通じて」「伝送する」のに対し、引用発明は、当該事項が明示されていない点。
（相違点２）
　「ランダムアクセス応答（ＲＡＲ：random access response）メッセージ」に関し、本件補正発明は、「アップリンクグラント及び一時的Ｃ−ＲＮＴＩ(cell-radio network temporary identifier)」を含むのに対し、引用発明は、「アップリンクグラント及び一時的Ｃ−ＲＮＴＩ(cell-radio network temporary identifier)」について明示されていない点。
（相違点３）
　「前記少なくとも一つの二次セル（ＳＣｅｌｌ）にランダムアクセス手順を実行するステップ」に関し、本件補正発明は、「前記アップリンクグラントに基づいて、前記少なくとも一つの二次セルのうちの一つに要請メッセージを伝送するステップ」を含むのに対して，引用発明は当該ステップが明示されていない点。
（相違点４）
　「競合解決メッセージを受信するステップ」に関し、本件補正発明は、「一時的Ｃ−ＲＮＴＩを使用」しているのに対し、引用発明は、「一時的Ｃ−ＲＮＴＩ」について明示されていない点。
　以下，相違点１〜相違点４についてまとめて検討する。
　上記イで認定した「周知技術」のとおり、「競合ベースのランダムアクセス手順は、
１）ＵＥが、物理ランダムアクセスチャネル（ＰＲＡＣＨ）を介して、ランダムアクセスプリアンブルを送信することと、
２）ＲＡプリアンブル識別子、ｐＴＡＧのタイミング調整情報、初期ＵＬグラント、及び一時的なＣ−ＲＮＴＩの割り当てを伝達するランダムアクセス応答を受信することと、
３）ＲＲＣ接続要求を伝達するメッセージを送信することと、
４）ＰＤＣＣＨ上の一時的なＣ−ＲＮＴＩにアドレスされるコンテンション解決メッセージを受信すること、
の４つのステップからなる。」ことは、３ＧＰＰの規格に規定されている技術常識ともいえる周知技術である。
　ここで、引用発明におけるランダムアクセス手順は、競合ベースのランダムアクセス手順であることは明らかであって、引用例１の記載（上記イの（ア）参照）によれば、引用発明も３ＧＰＰ　ＬＴＥに関することものであることが示唆されており、上記周知技術を引用発明に適用する上での阻害要因も見出せない。
　してみると、引用発明の「ランダムアクセスプリアンブル」を、物理的ランダムアクセスチャネル（ＰＲＡＣＨ)を介して送信すること（相違点１）、引用発明の「ランダムアクセスレスポンス」に、初期ＵＬグラントおよび一時的なＣ−ＲＮＴＩを含めること（相違点２）、引用発明の「非ＰＣｅｌｌグループの特定のＳＣｅｌｌであるＰＳＣｅｌｌにランダムアクセス手順を実行すること」に、初期ＵＬグラントに基づいて、ＲＲＣ接続要求を伝達するメッセージを送信すること（相違点３）、引用発明において「競合解決に係わる信号を受信する」際に、「一時的Ｃ−ＲＮＴＩを使用」すること（相違点４）、は格別困難なことではなく，当業者が適宜なし得た事項である。
　したがって，本件補正発明は，引用発明及び周知技術に基づいて当業者が容易に発明をすることができたものであるから，特許法第２９条第２項の規定により特許出願の際独立して特許を受けることができない。
３　まとめ
　したがって，本件補正は，特許法第１７条の２第５項の規定に違反するものであり，また，特許法第１７条の２第６項において準用する特許法第１２６条第７項の規定に違反するものであるから，特許法第１５９条第１項において読み替えて準用する特許法第５３条第１項の規定により却下すべきものである。
第３　本願発明について
１　本願発明
　令和１年７月１１日にされた手続補正は上記のとおり却下されたので，本願発明は，上記「第２」の項の「１　本件補正の概要」の項の「本願発明」のとおりのものと認める。
２　原査定の拒絶の理由
　原査定の拒絶理由の概要は，「（進歩性）この出願の下記の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。」というものであり，請求項１に対して引用例１（国際公開第２０１２／１３７９８４号）、引用例２（特開２０１２−１２９７６１号公報）及び引用例３（特開２０１２−７０１３４号公報）が引用されている。
３　引用発明及び周知技術
　引用発明及び周知技術は，上記「第２　令和１年７月１１日にされた手続補正についての補正の却下の決定」の項中の「２　補正の適否」の項中の「（２）独立特許要件について」の項中の「イ　引用発明及び周知技術」の項で認定したとおりである。
４　対比・判断
　本願発明と引用発明とを対比するに，本願発明は本件補正発明から当該補正に係る限定を省いたものである。
　そうすると，本願発明の構成に当該補正に係る限定を付加した本件補正発明が，「第２　令和１年７月１１日にされた手続補正についての補正の却下の決定」の項中の「２　補正の適否」の項中の「（２）独立特許要件について」の項中の「ウ　対比・判断」の項で検討したとおり，引用発明及び周知技術に基づいて容易に発明できたものであるから，本願発明も同様の理由により，容易に発明できたものである。
５　むすび
　以上のとおり，本願発明は，引用発明及び周知技術に基づいて当業者が容易に発明をすることができたものであるから，特許法第２９条第２項の規定により，特許を受けることができない。